(57)【要約】【課題】保持されたＩＣタグに不具合が生じ難いタグホルダーを提供する。【解決手段】タグホルダー２０は、ＩＣタグを保持するタグ保持部２７を備えている。タグ保持部２７は、ＩＣタグの側部を支持する一対の側壁２１と、ＩＣタグの上部を支持する上支持部２６と、ＩＣタグの下部を支持する下支持部２３とを備えている。側壁２１の内面には、側方に設けられた開口からのＩＣタグの脱落を防止する係止突部２９が設けられ、側壁２１には、係止突部２９が設けられた部位における側壁２１間の間隔の広がりを規制する規制部３０が設けられている。【選択図】図２
2018079987.tif 000002
【特許請求の範囲】
【請求項１】
パレットに設けられた収容部にＩＣタグを取り付けるためのタグホルダーであって、
前記ＩＣタグを保持するタグ保持部を備え、
前記タグ保持部は、前記ＩＣタグの側部を支持する一対の側壁と、前記ＩＣタグの上部を支持する上支持部と、前記ＩＣタグの下部を支持する下支持部とを備え、
前記側壁の内面には、側方に設けられた開口からの前記ＩＣタグの脱落を防止する係止突部が設けられ、
前記側壁には、前記係止突部が設けられた部位における前記側壁間の間隔の広がりを規制する規制部が設けられていることを特徴とするタグホルダー。
【請求項２】
ＩＣタグを保持するタグホルダーと、前記タグホルダーが収容される収容部とを備えるパレットであって、
前記タグホルダーは、前記ＩＣタグを保持するタグ保持部を備え、前記タグ保持部は、前記ＩＣタグの側部を支持する一対の側壁と、前記ＩＣタグの上部を支持する上支持部と、前記ＩＣタグの下部を支持する下支持部とを備え、前記側壁の内面には、側方に設けられた開口からの前記ＩＣタグの脱落を防止する係止突部が設けられ、
前記収容部は、載置面側に開口する凹部として形成されるとともに、前記収容部の周壁には、前記係止突部が設けられた部位における前記タグホルダーの前記側壁間の間隔の広がりを規制する規制部が設けられていることを特徴とするパレット。
【発明の詳細な説明】
【技術分野】
【０００１】
本発明は、パレットに設けられた収容部にＩＣタグを取り付けるためのタグホルダー、及びパレットに関する。
【背景技術】
【０００２】
近年、電波を利用した自動認識技術（ＲＦＩＤ：Radio Frequency Identification）が乗車券等において実用化されている。こうしたＲＦＩＤをパレットに利用することにより、パレット自体の管理、パレットの載置物の管理等の物流管理について効率化を図ることができる。ＲＦＩＤを利用したパレットには、パレット自体の情報や載置物の情報等について無線通信で読み書き可能なＩＣタグが装着される。
【０００３】
特許文献１には、タグホルダーを利用してパレットにＩＣタグを装着する技術が開示されている。特許文献１のタグホルダーは、パレットにおける隣接する桟の間に挿入可能に構成されるものであって、隣接する桟の間の隙間に相当する大きさに形成される頭部と、頭部の下側に接続される本体部とから構成されている。本体部には、ＩＣタグを保持するための保持部、及び抜け止め用の弾性片が設けられている。
【０００４】
そして、特許文献１のタグホルダーは、ＩＣタグを保持した状態として、パレットの一面側から隣接する桟の間に挿入されることによりパレットに取り付けられる。このとき、タグホルダーの頭部が、パレットにおける隣接する桟の間に嵌合することよって、水平方向におけるタグホルダーのガタツキが抑制されている。また、タグホルダーの本体部の下端がパレットの他面側に位置するデッキ部分に当接するとともに、本体部に設けられた弾性片がパレットの桟に係合することによって、上下方向におけるタグホルダーのガタツキが抑制されている。
【先行技術文献】
【特許文献】
【０００５】
【特許文献１】特開２０１１−５７２６０号公報
【発明の概要】
【発明が解決しようとする課題】
【０００６】
ところで、パレットの使用時や運搬時等においては、パレットに取り付けられたタグホルダー内のＩＣタグに様々な衝撃が伝えられる。こうした衝撃に起因して、タグホルダーに保持されたＩＣタグに破損や読み取りエラー等の不具合が生じる場合がある。
【０００７】
この発明は、こうした実情に鑑みてなされたものであり、その目的は、保持されたＩＣタグに不具合が生じ難いタグホルダー及びパレットを提供することにある。
【課題を解決するための手段】
【０００８】
上記の目的を達成するためのタグホルダーは、パレットに設けられた収容部にＩＣタグを取り付けるためのタグホルダーであって、前記ＩＣタグを保持するタグ保持部を備え、前記タグ保持部は、前記ＩＣタグの側部を支持する一対の側壁と、前記ＩＣタグの上部を支持する上支持部と、前記ＩＣタグの下部を支持する下支持部とを備え、前記側壁の内面には、側方に設けられた開口からの前記ＩＣタグの脱落を防止する係止突部が設けられ、前記側壁には、前記係止突部が設けられた部位における前記側壁間の間隔の広がりを規制する規制部が設けられている。
【０００９】
また、上記の目的を達成するためのパレットは、ＩＣタグを保持するタグホルダーと、前記タグホルダーが収容される収容部とを備えるパレットであって、前記タグホルダーは、前記ＩＣタグを保持するタグ保持部を備え、前記タグ保持部は、前記ＩＣタグの側部を支持する一対の側壁と、前記ＩＣタグの上部を支持する上支持部と、前記ＩＣタグの下部を支持する下支持部とを備え、前記側壁の内面には、側方に設けられた開口からの前記ＩＣタグの脱落を防止する係止突部が設けられ、前記収容部は、載置面側に開口する凹部として形成されるとともに、前記収容部の周壁には、前記係止突部が設けられた部位における前記タグホルダーの前記側壁間の間隔の広がりを規制する規制部が設けられている。
【００１０】
パレット内において、タグホルダーからＩＣタグが脱落してしまうと、パレットの運搬時等に、脱落したＩＣタグがタグホルダーやパレットの内壁に衝突して、ＩＣタグに衝撃が加えられることにより、ＩＣタグＴに不具合が生じるおそれがある。上記各構成によれば、タグホルダーの側壁又は収容部の周壁に設けられた規制部によって、一対の側壁間の間隔が広がることが規制されることにより、係止突部を乗り越えてＩＣタグが脱落することが起こり難くなる。その結果、タグホルダーからＩＣタグが脱落することに起因して生じるＩＣタグの不具合を抑制することができる。
【発明の効果】
【００１１】
本発明のタグホルダー及びパレットによれば、保持されたＩＣタグに不具合が生じることを抑制できる。
【図面の簡単な説明】
【００１２】
【図１】パレット及びタグホルダーの斜視図。
【図２】タグホルダーの斜視図。
【図３】タグホルダーの正面図。
【図４】タグホルダーの斜視図。
【図５】タグホルダーが取り付けられたパレットの部分断面図。
【図６】変更例におけるタグホルダーが取り付けられたパレットの部分断面図。
【発明を実施するための形態】
【００１３】
以下、本発明の一実施形態を説明する。
まず、タグホルダー２０が取り付けられるパレット１０について説明する。
図１に示すように、パレット１０は、平面四角形状をなす上面デッキ１１と、同じく平面四角形状をなす下面デッキ１２とが筒状をなす桁で連結されてなり、上面デッキ１１の面を載置面として使用することができるように構成されている。上記桁として、各デッキの四隅部を連結する隅部桁１３ａと、各デッキの四側部における中間部を連結する中間桁１３ｂと、各デッキの中央部を連結する中央桁１３ｃとが設けられている。なお、パレット１０は、合成樹脂材料により構成されている。
【００１４】
パレット１０の中央桁１３ｃには、上面デッキ１１側に開口する収容部１４が設けられている。収容部１４は、平面視四角形状に配置される四枚の周壁１５と、各周壁１５に接続される底壁１６とから構成されている。底壁１６は、パレット１０の厚さ方向における中間部分に設けられている（図５参照）。収容部１４を構成する周壁１５及び底壁１６は、中央桁１３ｃの一部として中央桁１３ｃと一体に形成されている。
【００１５】
四枚の周壁１５のうち対向する一対の周壁１５の開口側の端部には、タグホルダー２０を係合するための切欠状の第１被係合部１７が設けられている。また、図５に示すように、底壁１６には、タグホルダー２０を係合するための孔状の第２被係合部１８が設けられている。そして、第１被係合部１７が設けられていない側の一対の周壁１５の開口側の端部には、タグホルダー２０を係止するための係止凹部１５ａが設けられている。
【００１６】
次に、タグホルダー２０について説明する。
図２〜図４に示すように、合成樹脂材料により構成されるタグホルダー２０は、所定の間隔をあけて平行に配置される一対の側壁２１と、側壁２１の上端に連設される天板部２２と、側壁２１の下端に連設される下壁２３とを備え、全体として四角枠状に形成されている。
【００１７】
側壁２１は、上下方向に延びる長四角板状に形成されている。側壁２１の上下方向における長さは、パレット１０の収容部１４の深さより僅かに小さい値に設定されるとともに、側壁２１の前後方向の長さ（図３における紙面手前奥方向）は、収容部１４の一方側の対向する周壁１５間の距離より僅かに小さい値に設定されている。また、一対の側壁２１は、一方の側壁２１の外面と他方の側壁２１の外面との距離が、パレット１０の収容部１４における他方側の対向する周壁１５間の距離より僅かに小さい値となるように配置されている。また、各側壁２１の下端縁には、下方へ延びる第２係合部２４が設けられている。第２係合部２４は、パレット１０の収容部１４に設けられた第２被係合部１８に係合される部位である。
【００１８】
天板部２２は、パレット１０の収容部１４の開口部分と略同形状の四角形状をなしている。天板部２２における側壁２１が連設される側の各側縁（左右に位置する側縁）には、側方へ延びるとともに先端が下方へ延びるＬ字形状の第１係合部２５が設けられている。第１係合部２５は、パレット１０の収容部１４に設けられた第１被係合部１７に係合される部位である。
【００１９】
また、天板部２２における側壁２１が連設されていない側の各側縁（前後に位置する側縁）の中央部には、側方へ突出する係止部２２ａが設けられている。係止部２２ａは、パレット１０の収容部１４に設けられた係止凹部１５ａに係止される部位であり、係止凹部１５ａよりも僅かに小さい大きさ（外形）に形成されている。
【００２０】
下壁２３は、一対の側壁２１の下端同士を接続する四角板状の部位である。下壁２３の中央部分には、前後方向の全体にわたって上側へ屈曲する屈曲部２３ａが設けられている。下壁２３は、屈曲部２３ａにおいて上下方向に僅かに弾性変形可能に形成されている。
【００２１】
一対の側壁２１の内面側には、側壁２１と天板部２２と下壁２３とにより囲まれる空間を、下壁２３側に位置する第１空間Ｓ１と、天板部２２側に位置する第２空間Ｓ２とに区画する区画壁２６が設けられている。区画壁２６は、その前面側の中央部分が切り欠かれた平面視Ｕ字状の壁として形成されている。具体的には、区画壁２６は、各側壁２１の内面に立設される第１壁部２６ａと、後面側（図３における紙面奥側）において第１壁部２６ａ同士を接続する第２壁部２６ｂとから構成されている。
【００２２】
第１空間Ｓ１は、タグホルダー２０内にＩＣタグを収容して保持するための空間である。したがって、本実施形態においては、一対の側壁２１における区画壁２６よりも下側の部分と、区画壁２６と、下壁２３とによってタグ保持部２７が構成されるとともに、タグ保持部２７に第１空間Ｓ１が設けられている。そして、区画壁２６は、タグ保持部２７に保持されたＩＣタグの上部を支持する上支持部として機能するとともに、下壁２３は、タグ保持部２７に保持されたＩＣタグの下部を支持する下支持部として機能する。
【００２３】
また、一対の側壁２１における第１空間Ｓ１に位置する部分の後面側の縁部には、タグ保持部２７に保持されたＩＣタグの後部を支持する後支持部２８が設けられている。後支持部２８は、一対の側壁２１間を接続する板状の部位であり、本実施形態では、上下に二つの後支持部２８が設けられている。
【００２４】
後支持部２８は、上下方向において、その厚さを異ならせている。上側に位置する後支持部２８については、天板部２２側よりも中央側（下壁２３側）を薄く形成するとともに、下側に位置する後支持部２８については、下壁２３側よりも中央側（天板部２２側）を薄く形成している。そして、各後支持部２８において、薄く形成されている中央側の部位の内面に平面視円形状の突部２８ａがそれぞれ設けられている。
【００２５】
側壁２１の内面において、第１空間Ｓ１に位置する部分の前面側には、タグ保持部２７に保持されたＩＣタグの脱落を防止するための係止突部２９が設けられている。係止突部２９は、上下方向に延びる断面三角形状の突条として形成されている。また、側壁２１において、係止突部２９が設けられている部位の外面側には、前後方向に延びる突条形状をなす規制部３０が設けられている。
【００２６】
一方、第２空間Ｓ２は、天板部２２とタグ保持部２７の上面（区画壁２６の上面）との間に設けられる隙間である。つまり、天板部２２は、タグ保持部２７に対して、側壁２１における区画壁２６よりも上側の部位のみによって支持されており、天板部２２の中央部分については、タグ保持部２７から浮いた状態となっている。本実施形態においては、側壁２１における区画壁２６よりも上側の部位が、タグ保持部２７と天板部２２とを接続する接続部を構成している。
【００２７】
図３及び図４に示すように、天板部２２の下面には、天板部２２を補強するための縦リブ３１ａ及び横リブ３１ｂが十字状に交差して設けられている。横リブ３１ｂは、側壁２１の内面にも連続して形成され、その端部が区画壁２６（第１壁部２６ａ）の上面に接続されている。なお、縦リブ３１ａ及び横リブ３１ｂにおいて、天板部２２の中央部に対応して位置する部分（横リブ３１ｂの端部以外の部分）と、区画壁２６との間には、隙間（第２空間Ｓ２）が設けられている。
【００２８】
次に、パレット１０の収容部１４にタグホルダー２０を取り付ける方法について説明する。
図１に示すように、まず、タグホルダー２０に対するＩＣタグＴの取り付けを行う。ＩＣタグＴは四角箱形状をなし、その内部にはＩＣチップ、アンテナ、電源電池等が収容されている。タグホルダー２０に対するＩＣタグＴの取り付けは、タグホルダー２０の前面側からタグ保持部２７の第１空間Ｓ１内にＩＣタグＴを挿入することにより行われる。そして、各側壁２１に設けられた係止突部２９の奥側までＩＣタグＴが挿入されることによって、タグ保持部２７にＩＣタグＴが保持される。
【００２９】
タグ保持部２７に保持されたＩＣタグＴは、一対の側壁２１に挟まれることにより左右方向の移動が規制され、後支持部２８と係止突部２９とに挟まれることにより前後方向の移動が規制されている。このとき、ＩＣタグＴは、各後支持部２８に設けられている突部２８ａに当接して前方側へ付勢されることによって、前後方向のガタツキが抑制されている。なお、後支持部２８は、突部２８ａが形成されている中央側を薄く形成しているため、後支持部２８中央側の部位については、前後方向における若干の弾性変形が許容されている。
【００３０】
また、タグ保持部２７に保持されたＩＣタグＴは、区画壁２６と下壁２３とに挟まれることにより上下方向の移動が規制されている。このとき、ＩＣタグＴは、下壁２３に設けられている屈曲部２３ａによって上方へ付勢されることによって、上下方向のガタツキが抑制されている（図５参照）。
【００３１】
次いで、ＩＣタグＴを保持させたタグホルダー２０を、下壁２３側を先端側として、パレット１０の収容部１４に挿入する。そして、図５に示すように、側壁２１の下端に設けられた第２係合部２４を、収容部１４の底壁１６に設けられた第２被係合部１８に係合させるとともに、天板部２２に設けられた第１係合部２５を、収容部１４の周壁１５の上端に設けられた第１被係合部１７に係合させる。また、天板部２２に設けられた係止部２２ａを、収容部１４の周壁１５の上端に設けられた係止凹部１５ａ内に収容させる（図１及び図２参照）。これにより、収容部１４内にタグホルダー２０が固定される。このとき、タグホルダー２０の天板部２２の上面は、パレット１０の上面デッキ１１の上面と略同一平面上に位置し、側壁２１の下端は、収容部１４の底壁１６に当接している。
【００３２】
次に、本実施形態の作用について、図５に基づいて説明する。
上記のように、パレット１０の収容部１４に取り付けられたタグホルダー２０の天板部２２が、パレット１０の上面と略同一平面上に位置する構成とした場合、パレット１０の使用時等に、載置物等がタグホルダー２０の天板部２２に当接しやすくなる。本実施形態のタグホルダー２０は、天板部２２とタグ保持部２７との間に第２空間Ｓ２（隙間）が設けられ、天板部２２は一対の側壁２１においてのみタグ保持部２７に接続されている。
【００３３】
そのため、載置物等が当接することにより天板部２２の中央部分に加えられた衝撃は、天板部２２をその左右の縁部に向かって伝わるとともに、一対の側壁２１を通じてタグ保持部２７に保持されたＩＣタグＴへと伝わる。つまり、天板部２２の中央部分に加えられた衝撃が、各側壁２１に分散されてタグ保持部２７に保持されたＩＣタグＴへと伝わる。これにより、ＩＣタグＴに伝わる衝撃が緩和される。
【００３４】
さらに、天板部２２とタグ保持部２７との間に第２空間Ｓ２（隙間）が設けられていることから、天板部２２に載置物等が当接した際に、天板部２２が下方へ撓むことができる。天板部２２が撓んで天板部２２にて衝撃が吸収されることによっても、ＩＣタグＴに伝わる衝撃が緩和される。このように、タグ保持部２７に保持されたＩＣタグＴに伝わる衝撃が緩和されることによって、ＩＣタグＴに破損や読み取りエラー等の不具合が生じることが抑制される。
【００３５】
また、パレット１０の収容部１４内において、タグホルダー２０からＩＣタグＴが脱落してしまうと、パレット１０の運搬時等に、脱落したＩＣタグＴがタグホルダー２０や収容部１４の周壁１５に衝突することにより、ＩＣタグＴに不具合が生じるおそれがある。
【００３６】
ここで、本実施形態のタグホルダー２０は、側壁２１の内面の前方側に係止突部２９が設けられており、この係止突部２９によって、タグ保持部２７に保持されたＩＣタグＴの前方への移動、即ち前方からのＩＣタグＴの脱落を規制している。そのため、タグ保持部２７からのＩＣタグＴの脱落は、一対の側壁２１間の間隔（係止突部２９が設けられている部位の間隔）が広がって、ＩＣタグＴが係止突部２９を乗り越えてしまうことにより生じる。
【００３７】
そこで、本実施形態のタグホルダー２０では、側壁２１における係止突部２９が設けられている部位の外面側に対して、突条形状の規制部３０が設けられている。そのため、一対の側壁２１に対して、側壁２１間の間隔を広げる力が作用したとしても、側壁２１の外面側に設けられた規制部３０が、パレット１０の収容部１４の周壁１５に当接することにより、それ以上に各側壁２１が外側へ膨らむことが規制される。
【００３８】
そして、一対の側壁２１間の間隔が広がることが規制されることにより、係止突部２９を乗り越えてＩＣタグＴが脱落することが起こり難くなる。その結果、タグホルダー２０からＩＣタグＴが脱落することに起因して生じるＩＣタグＴの不具合を抑制することができる。
【００３９】
次に、本実施形態の効果について記載する。
（１）タグホルダー２０は、ＩＣタグＴを保持するタグ保持部２７と、タグ保持部２７の上方に配置される天板部２２と、タグ保持部２７に天板部２２を接続する接続部（側壁２１における区画壁２６よりも上側の部位）とを備えている。タグ保持部２７の上面（区画壁２６の上面）と天板部２２との間には隙間（第２空間Ｓ２）が設けられている。
【００４０】
上記構成によれば、天板部２２に載置物等が当接した場合に、天板部２２に加えられた衝撃が分散してＩＣタグＴに伝えられること、及び天板部２２が撓んで衝撃が吸収されることによって、ＩＣタグＴに伝えられる衝撃が緩和される。その結果、タグ保持部２７に保持されたＩＣタグＴに不具合が生じることを抑制できる。
【００４１】
また、本実施形態においては、天板部２２に設けられた第１係合部２５を、収容部１４の周壁１５に設けられた第１被係合部１７に係合させることによって、パレット１０にタグホルダー２０を取り付けている。天板部２２に載置物等が当接したときに、天板部２２が撓んで衝撃が吸収されることによって、第１被係合部１７から第１係合部２５が外れ難くなるという効果も得られる。
【００４２】
（２）タグホルダー２０は、ＩＣタグＴを保持するタグ保持部２７を備えている。タグ保持部２７は、ＩＣタグＴの側部を支持する一対の側壁２１と、ＩＣタグＴの上部を支持する上支持部（区画壁２６）と、ＩＣタグＴの下部を支持する下支持部（下壁２３）とを備えている。側壁２１の内面には、側方（前方）からのＩＣタグＴの脱落を防止する係止突部２９が設けられている。側壁２１には、係止突部２９が設けられた部位における側壁２１間の間隔の広がりを規制する規制部３０が設けられている。
【００４３】
上記構成によれば、パレット１０の収容部１４内において、タグホルダー２０からタグが脱落することが抑制される。その結果、タグ保持部２７に保持されたＩＣタグＴに不具合が生じることを抑制できる。
【００４４】
（３）側壁２１間の間隔の広がりを規制する規制部３０として、前後方向に延びる突条形状の規制部を採用している。
上記構成によれば、規制部３０を設けていない場合と比較して、側壁２１そのものの撓みやすさが大きく変化することはない。つまり、側壁２１自体が撓み難くなることはない。そのため、タグ保持部２７の第１空間Ｓ１にＩＣタグＴを挿入する際には、側壁２１間の間隔が容易に広げられて、スムーズに係止突部２９を乗り越えさせることができる。したがって、タグホルダー２０に対して、ＩＣタグＴを簡単に保持させることができる。
【００４５】
（４）後支持部２８の内面に突部２８ａを設けて、タグ保持部２７に保持されたＩＣタグＴを前方側へ付勢する構成を採用している。また、下壁２３に屈曲部２３ａを設けて、タグ保持部２７に保持されたＩＣタグＴを上方側へ付勢する構成を採用している。
【００４６】
上記構成によれば、タグ保持部２７に保持されたＩＣタグＴの前後方向及び上下方向のガタツキを抑制できる。特に、合成樹脂製のタグホルダー２０は、多少の寸法のバラつきが生じることがあるが、ＩＣタグＴが前方側及び上方側へ付勢されることにより、寸法のバラつきに起因するＩＣタグＴのガタツキを効果的に抑制できる。
【００４７】
（５）天板部２２の左右の側縁に第１係合部２５を設けるとともに、天板部２２の前後の側縁に係止部２２ａを設けている。
上記構成によれば、パレット１０に取り付けられたタグホルダー２０の天板部２２に上方から衝撃が加えられた場合に、天板部２２は、パレット１０の収容部１４（周壁１５）に四箇所で支持されることになる。これにより、負荷が分散されて、タグホルダー２０に破損等が生じ難くなる。特に、係止部２２ａを設けていない構成と比較して、第１係合部２５に作用する負荷が軽減されることから、第１係合部２５における破損等が生じ難くなる。その結果、パレット１０に対するタグホルダー２０の固定状態が安定化する。
【００４８】
なお、パレット１０の収容部１４にタグホルダー２０が取り付けられた状態において、係止部２２ａは、その下面が係止凹部１５ａの底面に当接していなくても、天板部２２に上方から衝撃が加えられたときに、係止凹部１５ａの底面に当接して、係止凹部１５ａに係止される構成であれば、上記の効果を得ることができる。
【００４９】
なお、本実施形態は、次のように変更して具体化することも可能である。
・  上記実施形態では、側壁２１における区画壁２６よりも上側の部位を、タグ保持部２７と天板部２２とを接続する接続部としていた、即ち側壁２１がタグ保持部２７の一部と接続部とを兼ねる構成であったが、接続部の構成はこれに限定されるものではない。接続部は、タグ保持部２７の上面中央部を避けつつ、タグ保持部２７の外周部分に配置されて、タグ保持部２７の上面と天板部２２との間に隙間（第２空間Ｓ２）を形成可能な構成であればよい。
【００５０】
例えば、接続部として、タグ保持部２７の上面（区画壁２７の上面）の周縁部やその近傍位置に複数の柱状部を設けて、その柱状部の上端に天板部２２を支持させる構成としてもよい。また、接続部として、タグ保持部２７の外周面（側壁２１の外面）に対して、側方に延びるとともに先端が上方へ延びるＬ字状の壁部を設けて、その壁部の上端に天板部２２を支持させる構成としてもよい。
【００５１】
・  上記実施形態では、タグ保持部２７について、ＩＣタグＴの上部を支持する上支持部として、前面側の中央部分が切り欠かれた平面視Ｕ字状の区画壁２６を設けていたが、上支持部の構成はこれに限定されるものではない。例えば、上支持部として、側壁２１の内面に前後方向へ延びるリブを形成して、同リブの側面にてＩＣタグＴの上部を支持する構成としてもよい。つまり、区画壁２６における第２壁部２６ｂを省略した構成としてもよい。
【００５２】
また、上支持部として、側壁２１の内面に上下方向に延びるリブを形成して、同リブの下端にてＩＣタグＴの上部を支持する構成としてもよい。つまり、区画壁２６を省略して、横リブ３１ｂの下端にてＩＣタグＴの上部を支持する構成としてもよい。なお、この場合には、タグ保持部２７に保持されたＩＣタグＴの上面と、天板部２２の下面との間に第２空間Ｓ２に相当する隙間が設けられることになる。
【００５３】
・  上記実施形態では、タグ保持部２７について、ＩＣタグＴの下部を支持する下支持部として下壁２３を設けていたが、下支持部の構成はこれに限定されるものではない。例えば、下支持部として、側壁２１の内面に前後方向へ延びるリブを形成して、同リブの側面にてＩＣタグＴの下部を支持する構成としてもよいし、側壁２１の内面に上下方向に延びるリブを形成して、同リブの上端にてＩＣタグＴの下部を支持する構成としてもよい。
【００５４】
・  後支持部２８を省略して、側壁２１の内面後側にも係止突部２９を設ける構成としてもよい。この場合には、タグホルダー２０の前後どちら側からでも、ＩＣタグＴの取り付け・取り外しを行うことが可能になる。
【００５５】
・  係止突部２９が設けられている部位における側壁２１間の間隔の広がりを規制可能な構成であれば、規制部３０の具体的構成は特に限定されるものではない。
例えば、側壁２１における係止突部２９が設けられている部位の外面側には規制部３０を設けずに、係止突部２９が設けられている部位の上部及び下部の外面側にそれぞれ突条形状の規制部３０を設けてもよい。この場合にも、上記（２），（３）の効果を得ることができる。また、突条形状の規制部３０を複数設けてもよいし、突条形状の規制部３０に代えて、単数又は複数の突起状の規制部３０としてもよい。また、側壁２１の外面に上下方向に延びるリブを設けて、同リブを規制部３０としてもよい。
【００５６】
・  上記実施形態では、片側に一つずつの係止突部２９を設けていたが、片側に二つ以上の係止突部２９を設けてもよい。
・  上記実施形態では、天板部２２の前後の側縁に係止部２２ａを設けていたが、この係止部２２ａを省略してもよい。また、係止部２２ａに代えて、天板部２２の前後の側縁にも第１係合部２５を設けてもよい。
【００５７】
・  上記実施形態では、各後支持部２８の内面に突部２８ａを設けていたが、外面に突部２８ａを設けてもよい。
・  隙間（第２空間Ｓ２）を設けて、天板部２２に加えられた衝撃を分散・緩和させる構成、及び規制部３０を設けて、係止突部２９が設けられた部位における側壁２１間の間隔の広がりを規制する構成のうちの一方を省略してもよい。
【００５８】
・  上記実施形態では、タグホルダー２０における側壁２１間の間隔の広がりを規制する規制部３０を側壁２１の外面に設けていたが、パレット１０の収容部１４における周壁１５の内面に同様の規制部を設けてもよい。
【００５９】
例えば、図６に示す例では、収容部１４の周壁１５のうち、第１被係合部１７が設けられている側の周壁１５の内面に対して、上下方向に延びる突条形状の規制部１５ｂを設けている。この規制部１５ｂは、少なくとも一部が、（収容部１４に収容された）タグホルダー２０の側壁２１における係止突部２９が設けられている部位に対向して位置するように設けられている。
【００６０】
上記構成によれば、タグホルダー２０に対して側壁２１間の間隔を広げる力が作用したとしても、側壁２１の外面が、パレット１０の収容部１４の周壁１５の内面に設けられた規制部１５ｂに当接することにより、それ以上に各側壁２１が外側へ膨らむことが規制される。その結果、上記（２）と同様の効果が得られる。なお、図６に示す例では、タグホルダー２０側の規制部３０を省略しているが、タグホルダー２０側の規制部３０と、収容部１４側の規制部１５ｂとを併用してもよい。
【００６１】
・  タグホルダー２０の天板部２２の上面は、パレット１０にタグホルダー２０を取り付けたときに、パレット１０の上面よりも下側に位置していてもよい。
・  上記実施形態では、箱形状のＩＣタグＴを用いていたが、箱形状以外の形状のＩＣタグＴを用いることも可能である。この場合には、ＩＣタグＴの形状に応じて、タグホルダー２０におけるタグ保持部２７の形状を適宜変更すればよい。
【００６２】
次に、上記実施形態及び変更例から把握できる技術的思想について記載する。
（イ）ＩＣタグを保持するタグホルダーと、前記タグホルダーが収容される収容部とを備えるパレットであって、前記タグホルダーは、前記ＩＣタグを保持するタグ保持部と、前記タグ保持部の上方に配置される天板部と、前記タグ保持部と前記天板部とを接続する接続部とを備え、前記接続部は、前記タグ保持部の外周部分に配置され、前記タグ保持部の上面と前記天板部との間、又は前記タグ保持部に保持された前記ＩＣタグの上面と前記天板部との間に隙間が設けられているパレット。
【００６３】
（ロ）ＩＣタグを保持するタグホルダーと、前記タグホルダーが収容される収容部とを備えるパレットであって、前記タグホルダーは、前記ＩＣタグを保持するタグ保持部を備え、前記タグ保持部は、前記ＩＣタグの側部を支持する一対の側壁と、前記ＩＣタグの上部を支持する上支持部と、前記ＩＣタグの下部を支持する下支持部とを備え、前記側壁の内面には、側方からの前記ＩＣタグの脱落を防止する係止突部が設けられ、前記側壁には、前記係止突部が設けられた部位における前記側壁間の間隔の広がりを規制する規制部が設けられているパレット。
【符号の説明】
【００６４】
Ｓ１…第１空間、Ｓ２…第２空間（隙間）、Ｔ…ＩＣタグ、１０…パレット、１４…収容部、１５ｂ，３０…規制部、２０…タグホルダー、２１…側壁、２２…天板部、２３…下壁（下支持部）、２６…区画壁（上支持部）、２７…タグ保持部、２９…係止突部。
【図１】
2018079987.tif 000003
【図２】
2018079987.tif 000004
【図３】
2018079987.tif 000005
【図４】
2018079987.tif 000006
【図５】
2018079987.tif 000007
【図６】
2018079987.tif 000008